(57)【要約】  【課題】蓋に意図しない静圧荷重が印加することによって、操作者がリング状回動部を回転動作させようとした際に、オーディオカバーの一部がリング状回動部と接触して回転動作を阻害（停止）させる、もしくはオーディオカバーの一部がリング状回動部を押してしまうことにより誤動作（回転動作）をするという問題があった。【解決手段】撮影レンズを含む撮像部と、前記撮影部の外周にリング状を成す操作部材と、前記リング状を成す操作部材の上方に配設された操作部を有する撮像装置において、前記操作部には撮像レンズの光軸方向に平行な回動軸を中心に回動、開閉自在な蓋が設けられ、前記蓋は操作部を覆う閉位置と、操作部を操作可能にする開位置に移動可能であり前記蓋は前記開位置からさらに開方向に荷重を加えると前記リング状を成す操作部材を除く前記撮像部の一部に当節する凸部を有することを特徴とする。【選択図】図９
2015139030.tif 000002
【特許請求の範囲】
【請求項１】
撮影レンズを含む撮像部と、前記撮影部の外周にリング状を成す操作部材と、
前記リング状を成す操作部材の上方に配設された操作部を有する撮像装置において、
前記操作部には撮像レンズの光軸方向に平行な回動軸を中心に回動、開閉自在な蓋が設けられ、
前記蓋は操作部を覆う閉位置と、操作部を操作可能にする開位置に移動可能であり
前記蓋は前記開位置からさらに開方向に荷重を加えると前記リング状を成す操作部材を除く前記撮像部の一部に当節する凸部を有することを特徴とする撮像装置。
【請求項２】
前記撮影部の外周にリング状を成す操作部材を複数有することを特徴とする請求項１に記載の蓋を有する撮像装置。
【請求項３】
前記凸部は、リング状を成す操作部材とリング状を成す操作部材との間に有する面に当節することを特徴とする請求項１又は請求項２に記載の蓋を有する撮像装置。
【請求項４】
前記凸部を複数有することを特徴とする請求項１乃至請求項３の何れか１項に記載の蓋を有する撮像装置。
【発明の詳細な説明】
【技術分野】
【０００１】
本発明は、操作スイッチを開閉自在に覆う、蓋を有する撮像装置に関するものである。
【背景技術】
【０００２】
従来、業務用のビデオカメラでは、被写体の撮影を行うレンズ部とレンズの外周にフォーカス調整を行うリング状回動部と、レンズ部とレンズリング状回動部の上部に本体把持用のハンドル部を有し、ハンドル部先端に被写体の集音用マイクを配置する構成が多く取られている。
【０００３】
この種の装置においては、特許文献１に開示されているように、遠くの音声を集音できる高性能マイク接続用のＸＬＲ型のコネクタや、マイク入力のレベル設定ダイヤル、各種切り替えスイッチなど、オーディオ関係の要素をマイクの配置されたハンドル部先端に集約することによって、各種操作を一か所で行うことが出来るため、ビデオカメラの操作性を向上させることが出来る。
【０００４】
また、業務用ビデオカメラユーザーの業務形態によっては、撮影を行うカメラマンと、オーディオ関連の調整を行う担当者が、明確に分かれていることがある。この場合、オーディオ関連の各調整は撮影前に行うことがある為、ビデオカメラ輸送中や、撮影中において、不容易に調整値が変わることが無いよう、マイク入力レベル設定ダイヤルや、各種切り替えスイッチの状態確認は可能で、なおかつ誤操作を防止する構造を搭載したビデオカメラが望まれるようになってきており、各種切り替えスイッチの誤操作を防止する蓋構造を搭載したビデオカメラがある。
【先行技術文献】
【特許文献】
【０００５】
【特許文献１】特許第4251251号明細書
【発明の概要】
【発明が解決しようとする課題】
【０００６】
しかしながら、上記従来例では各種切り替えスイッチの誤操作を防止する構造として、閉じた状態でも操作部材の状態認識が可能なように、透明なモールド部材による蓋を導入した場合、小型化を配慮する上で、成形条件により蓋の肉厚に制限が発生する為、開状態で意図しない静圧荷重が印加することによって、操作者がリング状回動部を回転動作させようとした際に、オーディオカバーの一部がリング状回動部と接触して回転動作を阻害（停止）させる、もしくはオーディオカバーの一部がリング状回動部を押してしまうことにより誤動作（回転動作）をするという問題があった。
【０００７】
本発明は、以上のような局面にかんがみてなされたもので、上記の問題点を解決するための手段の提供を目的としている。
【課題を解決するための手段】
【０００８】
上述した目的を達成するために、
撮影レンズを含む撮像部と、前記撮影部の外周にリング状を成す操作部材と、
前記リング状を成す操作部材の上方に配設された操作部を有する撮像装置において、
前記操作部には撮像レンズの光軸方向に平行な回動軸を中心に回動、開閉自在な蓋が設けられ、
前記蓋は操作部を覆う閉位置と、操作部を操作可能にする開位置に移動可能であり
前記蓋は前記開位置からさらに開方向に荷重を加えると前記リング状を成す操作部材を除く前記撮像部の一部に当節する凸部を有することを特徴とする。
【発明の効果】
【０００９】
本発明によれば、蓋開状態で意図しない静圧荷重が印加することによっても、リング状の回動部の操作を行うことが可能となる蓋構造を有する撮像装置の提供が可能となる。
【図面の簡単な説明】
【００１０】
【図１】本発明に関る実施の形態のビデオカメラを表す斜視図である。
【図２】本発明に関る実施の形態のビデオカメラを表す斜視図である。
【図３】リング状回動部１０２の構成を表わす図である。
【図４】オーディオカバー８０２が開いた状態を表す斜視図である。
【図５】オーディオカバーの取り付け構造を示す分解斜視図である。
【図６】図２に示すオーディオカバーの取り付け構造を説明する直線Ａによる断面図である。
【図７】図６の板バネ１２０３ａとカム１４０１ａの関係を裏側から見た図である。
【図８】オーディオカバー８０２とリング状回動部１０２、１０３、１０４の関係を示す斜視図である。
【図９】オーディオカバー８０２とリング状回動部１０２、１０３、１０４の関係を正面から見た図である。
【発明を実施するための形態】
【００１１】
図１、図２は、本発明に関る実施形態のビデオカメラを表す斜視図である。１０１は被写体の撮影を行うことが可能な撮像光学系であり、撮影光学系の被写体側を前側と定義する。また、被写体に向かって正対した撮影者における右側を、製品の右側と定義する。図１は本発明に関る実施の形態のビデオカメラを右斜め方向から見た斜視図であり、図２は本発明に関る実施の形態のビデオカメラを左斜め方向から見た斜視図である。図２に示す本実施例のビデオカメラ本体の左側には、開閉可能に設けられた液晶表示装置２０１が設けられている。ビデオカメラ本体１００は、液晶表示装置２０１が開いた状態にて、撮像光学系１０１によって撮影された被写体の映像を確認しながら撮影を行うことが出来る。
【００１２】
撮像光学系１０１の外周には、リング状回動部１０２、１０３、１０４（三連リング）が、操作部として配置されている。図３は、リング状回動部１０２の構成を表わす図である。リング状回動部１０２の表面は弾性部材１０２ａで構成され、内側にはモールド部材によって歯車１０２ｂが構成されている。リング状回動部１０２の回転と、不図示のパルスエンコーダの回転は連動して行われる。上述の構成によって、リング状回動部１０２の操作を、パルスエンコーダの回転によって生じる電圧波形を検出することにより、検知することが可能となっている。なお、上述のようなリング状回動部１０２の構成及び検知方法は公知の技術であるため詳細の説明を省く。また、リング状回動部１０３、１０４についても１０２と同様の構造となっている。
【００１３】
ビデオカメラ本体１００はリング状回動部１０２の操作によって、撮像光学系１０１のフォーカス駆動を、リング状回動部１０３の操作によって撮像光学系１０１のズーム駆動を、リング状回動部１０４の操作によって撮像光学系１０１のアイリス駆動を行うことが出来る。すなわち、ユーザは、リング状回動部１０２、１０３、１０４の操作を行うことで、マニュアルフォーカス、マニュアルズーム、マニュアルアイリスによる撮影を行うことが出来る。
【００１４】
本実施例のビデオカメラのように、リング状回動部１０２、１０３、１０４を、撮像光学系１０１の外周に設けることで、直感的に撮像光学系１０１に関連する操作を行うことが出来るため、使い勝手のよいビデオカメラの提供が可能となる。また特に、リング状回動部１０２、１０３、１０４の操作面である表面を弾性部材で構成することによって、操作時に指が滑ることなく、正確な操作を行うことが出来る。
【００１５】
図1、図２に示すように、ビデオカメラ本体１００の上部には、輸送時や、撮影時に把持を行うハンドル２０２が、撮像光学系１０１の光軸１０１ａ方向に延在して配置されている。ハンドル２０２上面には撮影の開始、終了の制御を行うトリガーキー２０３と、撮像光学系１０１のズーム倍率などを変更するズームキー２０４が配設されている。
【００１６】
ハンドル２０２の前方は、ハンドル中央部２０６の把持部より大きく形成され、被写体の集音用マイク１０９（左右に配置された集音用マイク１０９ａ、１０９ｂ）などが配設されるオーディオ部２０５となっている。特にマイクは、本実施例のビデオカメラでは、撮影時に出来るだけ被写体に近い位置となるように、オーディオ部２０５の前面であり、撮像光学系１０１の光入射面２０７より前面に突出させた位置に配置している。
【００１７】
また、オーディオ部２０５の右側には、遠くの音声を集音できる高性能マイクを接続するための、外部接続コネクタとして、ＸＬＲ型のコネクタ１１０ａ、１１０ｂ、オーディオ部２０５の側面に光軸１０１ａ方向に並べて配設されている。
【００１８】
図４は本実施例のビデオカメラにおける後述するオーディオカバー８０２が開いた状態を表す斜視図である。図４に示す様に、オーディオ部２０５の左側面には、外部接続コネクタ１１０からの入力と内蔵マイク１０９からの入力の選択、外部マイクへの電圧印加の有無の選択、マイクの記録音圧レベルに関するオートとマニュアル制御の切り替え、の３つの操作に対応する、３つのスイッチからなるスイッチ群８０１ａ、８０１ｂが配置されている。各スイッチ群８０１ａ、８０１ｂは、開閉自在なオーディオカバー８０２によって閉状態では覆われている。
【００１９】
各種操作スイッチ群は、XLR型のコネクタと同じ数配設されており、それぞれの外部接続コネクタ１１０の対向面側に、それぞれの操作群が配置されている。すなわち、右側の面には、前面から外部接続コネクタ１１０ｂ、後ろ面に外部接続コネクタ１１０ａが配設され（図１参照）、対向する左側の面には、前面から外部接続コネクタ１１０ｂ用の操作部、後ろ面に外部接続コネクタ１１０ａの操作部が配設されている（図４参照）。これにより、外部入力端子と対応する操作部が直感的にわかるようになっている。
【００２０】
次にオーディオカバー８０２の構成について詳しく説明する。
【００２１】
図５はオーディオカバーの取り付け構造を示す分解斜視図である。
【００２２】
オーディオカバー８０２は閉状態で、各種スイッチの状態確認が容易となるように、透明やスイッチの状態が把握できる程度の半透明のモールド部材で成型されている。また、オーディオカバー８０２の一側面に回転軸となるピン形状１４０２を形成し、他方の側面には金属軸で構成されたシャフト１７０１が挿入される孔部１４０１が配置され、孔部には金属軸で構成されたシャフト１７０１が係合する。オーディオカバー８０２は、ピン形状１４０２とシャフト１７０１により回転し、開閉可能に構成されている。
【００２３】
図６は、図２に示すオーディオカバーの取り付け構造を説明する直線Ａによる断面図である。
【００２４】
オーディオカバー８０２には、板バネ１２０３ａによって、開閉時のフリクションを得るため、カム１４０１ａが形成されている。
【００２５】
図７は、図６の板バネ１２０３ａとカム１４０１ａの関係を裏側から見た図である。A図から順に、オーディオカバー８０２閉状態、９０°開状態、開き状態を表しており、D図は、A図に加えて、９０°開いた時の板ばねの状態を重ねたものである。図７に示す様に板ばね１２０３ａによるチャージ量は、閉時、開時と比較して、開閉途中に最も大きくなるように、オーディオカバー８０２の回転軸中心からオフセットした形状で構成されている。すなわち、オーディオカバー８０２は、開き始め閉じ方向にフセイされ、中間状態付近で開き方向へのフセイに反転する。これによって、オーディオカバー８０２開閉動作時、オーディオカバー８０２が中間状態など半端な位置で止まることが無くなるため、オーディオカバー８０２に想定していない荷重が加わることを避けることが出来る。また、オーディオカバー８０２の側面には、蓋閉時のロックを行う爪引っ掛け部１４０３が両側面に配置されており、蓋ロック爪１５０１と、蓋閉じ時に係合することで、オーディオカバー８０２の閉状態の保持がなされる。
【００２６】
次に本実施例のオーディオカバー８０２の開状態について図８と、図９を用いて説明する。
【００２７】
オーディオカバー８０２を開く場合、オーディオカバー８０２の上面８０３に指をかけ、オーディオカバー８０２を回動させる。オーディオカバー８０２を開方向に回転させると、板バネ１２０３ａによって前述したように開時のフリクションを得て、停止する。これによって、オーディオカバー８０２開状態においても、リング状の回動部１０２の操作を行うことが可能となる。また、オーディオカバー８０２開状態からさらに開方向に荷重を印加すると、オーディオカバー８０２は前述の開状態から、さらに開くこととなる。オーディオカバー８０２の凸部８０２ａは、リング状回動部１０２表面ｆに設けられている弾性部材（リング状回動部１０２、１０３、１０４の操作面）を除く撮像部の一部８０４に接触して停止する。これによって、リング状回動部１０２はオーディオカバー８０２と隙間９０１を保持可能とし、意図しない不慮の静圧荷重印加時においても、リング状回動部の操作を妨げることはない。
【００２８】
以上のような構成により、発明の効果を達成することが出来る。
【符号の説明】
【００２９】
１００‥‥ビデオカメラ本体
１０１‥‥撮影光学系
１０1ａ‥‥光軸
１０２、１０３、１０４‥‥リング状回動部
１０２ａ、１０３ａ、１０４ａ‥‥弾性部材
１０２ｂ、１０３ｂ、１０４ｂ‥‥歯車
１０９‥‥集音用マイク（内臓マイク）
１１０‥‥外部接続コネクタ
１１０ａ、１１０ｂ‥‥ＸＬＲ型のコネクタ
２０１‥‥液晶表示装置
２０２‥‥ハンドル
２０３‥‥トリガーキー
２０４‥‥ズームキー
２０５‥‥オーディオ部
２０６‥‥中央部
２０７‥‥光入射面
８０１ａ、８０１ｂ‥‥スイッチ群
８０２‥‥オーディオカバー
８０２a ‥‥凸部
８０３ ‥‥上面
９０１‥‥隙間
１２０３ａ‥‥板バネ部
１４０１‥‥孔部
１４０１ａ‥‥カム
１４０２‥‥ピン形状
１４０３‥‥爪引っ掛け部
１５０１‥‥蓋ロック爪
１７０１‥‥シャフト
【図１】
2015139030.tif 000003
【図２】
2015139030.tif 000004
【図３】
2015139030.tif 000005
【図４】
2015139030.tif 000006
【図５】
2015139030.tif 000007
【図６】
2015139030.tif 000008
【図７】
2015139030.tif 000009
【図８】
2015139030.tif 000010
【図９】
2015139030.tif 000011